(57)【要約】【課題】本発明は、メニュー項目が選択操作された使用実績に基づいて使用されたメニュー項目及び使用されていないメニュー項目をそれぞれ選択しやすくした選択画面を表示する表示装置を提供することを目的とするものである。【解決手段】表示装置１の制御部２は、メニュー項目情報及びその階層情を記憶するメニュー項目テーブル２２、メニュー項目の使用実績情報を記憶するメニュー項目レジスタ２３、メニュー項目の選択操作に応じて選択されたメニュー項目情報の使用実績情報を更新する更新処理部２０１、使用実績情報に基づいて各メニュー項目が所定期間内に選択されたか否か判定する判定部２０２を備え、使用メニュー項目情報を使用実績情報に基づいて配列してメニュー選択画面に表示し、不使用メニュー項目情報を階層情報に基づいて配列してメニュー選択画面とは別のメニューボックス選択画面に表示するようにしている。【選択図】図１
2008033478.tif 000002
【特許請求の範囲】
【請求項１】
複数のメニュー項目情報並びに当該メニュー項目情報に対応する階層情報及び使用実績情報を記憶する記憶手段と、メニュー項目の選択操作に応じて選択された当該メニュー項目情報の前記使用実績情報を更新する更新手段と、前記使用実績情報に基づいて各メニュー項目が所定期間内に選択されたか否か判定する判定手段と、所定期間内に選択されたと判定されたメニュー項目情報を使用実績情報に基づいて配列してメニュー選択画面に表示するとともに所定期間内に選択されていないと判定されたメニュー項目情報を前記階層情報に基づいて配列してメニュー選択画面とは別のメニューボックス選択画面に表示する表示処理手段とを備えていることを特徴とする表示装置。
【請求項２】
前記表示処理手段は、前記メニュー選択画面において、前記メニューボックス選択画面を表示するためのアイコンを表示することを特徴とする請求項１に記載の表示装置。
【請求項３】
前記表示処理手段は、前記メニュー選択画面において使用実績情報に基づいて配列されたメニュー項目情報を拡大表示することを特徴とする請求項１又は２に記載の表示装置。
【請求項４】
前記使用実績情報は、所定期間内に選択された回数データ及び選択された最新日付データであることを特徴とする請求項１から３のいずれかに記載の表示装置。
【発明の詳細な説明】
【技術分野】
【０００１】
本発明は、映像表示装置、映像記録再生装置又はこれらの複合電子機器等の表示画面においてメニュー項目を選択する表示装置に関する。
【背景技術】
【０００２】
近年、映像表示装置、映像記録再生装置又はこれらの複合電子機器では、デジタル化、多機能化及び複合化が進展し、利用者のニーズに対応した様々な機能が付加されている。そのため、こうした多くの機能を選択して設定する場合に、利用者がリモコン等の操作装置を用いてメニュー画面をディスプレイに表示して、画面を見ながら選択キーを操作して必要なメニュー項目を選択表示し、決定キーを操作してメニュー項目の設定を行っている。しかしながら、メニュー項目が多岐にわたるようになると、こうした設定操作に手間がかかるようになるため、様々な工夫がなされている。例えば、特許文献１では、複数種類の設定機能項目から必要とする設定機能項目をユーザが選択して選択された設定機能項目のみ表示するようにし、選択操作の際にユーザの操作を単純化した点が記載されている。また、特許文献２では、選択されたメニューの機能使用頻度データを記憶しておき、記憶された機能使用頻度データに基づいて使用頻度の高い順に表示するようにした点が記載されている。また、特許文献３では、メニュ管理ファイルにメニュシステム名に対応してそれを起動させる曜日／日付情報を記憶しておき、メニュ画面にメニュシステム名を表示する際に現在の曜日／日付に該当するものを選択候補として表示するようにした点が記載されている。
【特許文献１】特開平１０−７５４０２号公報
【特許文献２】特開平８−１８５３００号公報
【特許文献３】特開平５−１１９５６号公報
【発明の開示】
【発明が解決しようとする課題】
【０００３】
上述した特許文献１では、ユーザ別に設定機能項目が表示されるため操作が単純化されるが、予めユーザが設定機能項目を選択しておかなければならずそのための操作が必要となる。また、特許文献２では、使用頻度順に表示されるためユーザがよく選択する設定項目が優先して表示されて選択しやすくなるが、メニュー項目数が多くなると表示する情報量が多くなり、選択操作がしづらくなることは避けられない。また、特許文献３では、表示する曜日／日付で自動的に表示するようにしているが、テレビジョン受像機等の一般家庭用の電子機器ではこうしたニーズはあまりなく、特殊な用途に限られる。
【０００４】
そこで、本発明は、メニュー項目が選択操作された使用実績に基づいて使用されたメニュー項目及び使用されていないメニュー項目をそれぞれ選択しやすくした選択画面を表示する表示装置を提供することを目的とするものである。
【課題を解決するための手段】
【０００５】
本発明に係る表示装置は、複数のメニュー項目情報並びに当該メニュー項目情報に対応する階層情報及び使用実績情報を記憶する記憶手段と、メニュー項目の選択操作に応じて選択された当該メニュー項目情報の前記使用実績情報を更新する更新手段と、前記使用実績情報に基づいて各メニュー項目が所定期間内に選択されたか否か判定する判定手段と、所定期間内に選択されたと判定されたメニュー項目情報を使用実績情報に基づいて配列してメニュー選択画面に表示するとともに所定期間内に選択されていないと判定されたメニュー項目情報を前記階層情報に基づいて配列してメニュー選択画面とは別のメニューボックス選択画面に表示する表示処理手段とを備えていることを特徴とする。さらに、前記表示処理手段は、前記メニュー選択画面において、前記メニューボックス選択画面を表示するためのアイコンを表示することを特徴とする。さらに、前記表示処理手段は、前記メニュー選択画面において使用実績情報に基づいて配列されたメニュー項目情報を拡大表示することを特徴とする。さらに、前記使用実績情報は、所定期間内に選択された回数データ及び選択された最新日付データであることを特徴とする。
【発明の効果】
【０００６】
上記のような構成を有することで、各メニュー項目を使用実績情報に基づいて使用されているか否か判定して、所定期間内に選択されたと判定されたメニュー項目情報を使用実績情報に基づいて配列してメニュー選択画面に表示するとともに所定期間内に選択されていないと判定されたメニュー項目情報を前記階層情報に基づいて配列してメニュー選択画面とは別のメニューボックス選択画面に表示するようにしているので、メニュー選択画面には所定期間内に使用されたメニュー項目のみが表示されて見やすく選択しやすくなる。さらに、使用されたメニュー項目を使用実績情報に基づいて配列しているので、利用者の使用実態に即した選択表示画面となる。
【０００７】
一方、使用されていないメニュー項目は、メニュー選択画面とは別のメニューボックス選択画面に表示されるので、利用者は、メニューボックス選択画面を表示して使用されていないメニュー項目のみ見ることになり、すべてのメニュー項目を見る場合に比べて見やすくなる。また、使用されていないメニュー項目は階層情報に基づいて配列されて表示されるので、容易に選択することができる。
【０００８】
そして、メニュー選択画面においてメニューボックス選択画面を表示するためのアイコンを表示すれば、メニュー選択画面から直接メニューボックス選択画面に移動することができ、選択操作の際の利便性が向上する。また、メニュー選択画面において使用実績情報に基づいて配列されたメニュー項目情報を拡大表示するようにすれば、メニュー項目を明瞭に視認することが可能となり、よりユーザフレンドリィな画面表示となる。
【０００９】
使用実績情報として、所定期間内に選択された回数データ及び選択された最新日付データを登録しておけば、２つのデータを適宜組み合せて判定処理及び表示の際の配列処理に用いることができ、より使用実態に即したメニュー選択画面を構成することができる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態に関する全体ブロック図を示している。表示装置１は、装置全体の制御を行う制御部２、テレビアンテナにより受信した放送電波から指定チャンネルの放送電波を選局して映像信号及び音声信号を取り出すチューナ３、取り出された映像信号を処理して映像を表示させる映像情報処理回路４、制御部２からのメニュー表示等のオンスクリーン表示画面と映像情報処理回路４からの映像を合成してモニタ６に表示する映像合成回路５、取り出された音声信号を処理してスピーカ８に出力する音声情報処理回路７、初期設定に必要なデータ及びプログラム等を記憶するＥＥＰＲＯＭ９、リモコン１１からの操作信号を受信する操作信号受信部１０を備えている。
【００１２】
リモコン１１を操作して、メニュー表示やメニュー選択のための操作信号が操作信号受信部１０に送信され、操作信号受信部１０から制御部２に入力される。
【００１３】
制御部２は、表示制御部２０、メニュー表示に必要な画像データ等を記憶するＲＯＭ２１、メニュー表示されるメニュー項目情報、当該メニュー項目を表示するための階層情報及び使用されたか否かを示す識別情報を記憶するメニュー項目テーブル２２、メニュー項目別に当該メニュー項目が選択された回数をカウントするとともに選択された最新日付を記憶するメニュー項目レジスタ２３、日付データ及び時刻データを出力するタイマ２４を備えている。
【００１４】
表示制御部２０は、更新処理部２０１、判定部２０２、登録部２０３及び表示処理部２０４を備えており、更新処理部２０１は、メニュー項目が選択された場合にタイマ２４からの日付データに基づいてメニュー項目レジスタ２３の回数データ及び日付データを更新処理する。判定部２０２は、メニュー項目レジスタ２３の回数データ又は日付データに基づいて各メニュー項目が使用されたか否かを判定する。登録部２０３は、判定部２０２の判定結果を使用されたか否かを示す識別情報としてメニュー項目テーブル２２に登録する。表示処理部２０４は、登録部２０３に登録された識別情報に基づいて使用されたメニュー項目及び使用されていないメニュー項目をそれぞれ読み出し、使用されたメニュー項目をメニュー項目レジスタ２３に記憶された回数データ又は日付データに基づいて配列したメニュー選択画面の表示処理を行うとともに、使用されていないメニュー項目をメニュー項目テーブル２２に記憶された階層情報に基づいて配列したメニューボックス選択画面の表示処理を行う。
【００１５】
図２は、メニュー項目を選択した際の処理フローである。メニュー選択画面が表示されると（Ｓ１００）、リモコン１１により画面表示されたメニュー項目が選択されたか否かチェックし（Ｓ１０１）、メニュー項目が選択された場合には、選択されたメニュー項目の設定処理を行う（Ｓ１０２）。そして、選択されたメニュー項目についてメニュー項目レジスタ２３の回数データを１だけカウントアップし、タイマ２４からの日付データに基づいて最新日付データを更新する（Ｓ１０３）。次のメニュー項目が選択されたか否かチェックして（Ｓ１０４）選択されない場合には終了し、選択された場合にはステップＳ１０２に戻る。
【００１６】
以上のように、メニュー項目を選択操作した場合に、メニュー項目レジスタ２３の使用実績情報を更新処理する。
【００１７】
図３は、メニュー表示登録処理に関するフローである。メニュー表示登録処理は、例えば、１ヶ月毎に定期的に行う。まず、メニュー項目レジスタ２３の使用実績情報を読み出して（Ｓ２００）、メニュー項目の最新日付データに基づいて所定期間内（例えば、１ヶ月）に選択されたか判定する（Ｓ２０１）。所定期間内に選択されている場合は、使用メニュー項目であるとして使用されたことを示す識別情報をメニュー項目テーブル２２に登録する（Ｓ２０２）。また、所定期間内に選択されていない場合は、不使用メニュー項目であるとして使用されていないことを示す識別情報をメニュー項目テーブル２２に登録する（Ｓ２０３）。そして、次のメニュー項目があるかチェックし（Ｓ２０４）、次のメニュー項目がある場合にはステップＳ２００に戻り、次のメニュー項目の登録処理を行う。こうして各メニュー項目が使用メニュー項目及び不使用メニュー項目に分別される。
【００１８】
図４は、メニュー選択画面を表示する処理フローである。まず、メニューキーが操作されたかチェックし（Ｓ３００）、メニューキーが操作された場合にメニュー項目テーブル２２の識別情報に基づいて使用メニュー項目を抽出し（Ｓ３０１）、抽出された使用メニュー項目の使用実績情報に基づいて配列しメニュー選択画面を生成して画面表示を行う（Ｓ３０２）。この場合、回数データの多い順に配列したり、最新日付データの最新順に配列する。
【００１９】
例えば、図５は、初期設定されるメニュー選択画面の例を示している。この例では、「映像調整」、「音声調整」及び「本体設定」をメニュー項目の上位階層として、それぞれの上位階層に下位階層の複数のメニュー項目が展開している。例えば、「映像調整」の下に「明るさ」「映像」「色の濃さ」「色合い」「画質」「プロ設定」が展開されている。階層情報としては、例えば、上位の階層のメニュー項目には、「１００」「２００」・・・というように３桁の数字の左端の桁を割り当て、下位の階層のメニュー項目には、上位の階層情報「１００」に対して、「１１１」「１１２」・・・というように残りの２桁を割り当てて階層構造を表すことができる。なお、「メニューＢＯＸ」には、初期設定では登録されたメニュー項目はない。
【００２０】
図６は、所定期間経過した場合のメニュー選択画面の例を示している。この例では、所定期間内に「画質」及び「映像」のメニュー項目が選択されたため、２つのメニュー項目のみが表示される。さらに拡大表示されているため、選択操作する際に見やすく選択しやすい選択画面となっている。なお、メニュー選択画面において右下の「初期画面に戻す」のアイコンをクリックすることで、図５の初期画面に戻すことができる。
【００２１】
メニュー選択画面において右上の「メニューＢＯＸ」のアイコンがクリックされて選択されたか否かチェックし（Ｓ３０３）、アイコンが選択された場合には、メニュー項目テーブル２２の識別情報に基づいて不使用メニュー項目を抽出する（Ｓ３０４）。そして、メニュー項目テーブル２２の階層情報を読み出して不使用メニュー項目を配列しメニューボックス選択画面を生成して画面表示を行う（Ｓ３０５）。図７は、メニューボックス選択画面の一例を示している。この例では、メニュー選択画面で表示された「画質」「映像」以外の残りのメニュー項目を初期画面と同様に階層表示する。
【００２２】
以上のように、所定期間内に使用されたメニュー項目をメニュー選択画面に表示し、残りのメニュー項目をメニューボックス選択画面に表示するようにしているので、利用者が使用するメニュー項目のみ拡大表示することが可能となり、残りのメニュー項目を階層表示したメニューボックス選択画面をメニュー選択画面からアイコンをクリックすることで簡単に表示することができるので、初期画面と同様に選択操作することができる。
【図面の簡単な説明】
【００２３】
【図１】本発明に係る実施形態に関する全体ブロック図である。
【図２】メニュー項目を選択した際の処理フローである。
【図３】メニュー表示登録処理に関するフローである。
【図４】メニュー選択表示処理に関するフローである。
【図５】初期設定されるメニュー選択画面の例である。
【図６】所定期間経過した場合のメニュー選択画面の例である。
【図７】メニューボックス選択画面の例である。
【符号の説明】
【００２４】
１    表示装置
２    制御部
20    表示制御部
【図１】
2008033478.tif 000003
【図２】
2008033478.tif 000004
【図３】
2008033478.tif 000005
【図４】
2008033478.tif 000006
【図５】
2008033478.tif 000007
【図６】
2008033478.tif 000008
【図７】
2008033478.tif 000009